(57)【要約】【目的】温風暖房機の枠体や置台を低温度に維持する遮熱構造に関する。【構成】枠体１の前面の温風吹出口２と枠体１の背面の送風機３との間に送風路４を形成し、枠体１の底板を兼ねる置台５には枠体１の側板１ａに近接するように片側に寄せてバーナ６を配置し、該バーナ６もしくはバーナ６に連なる燃焼室７を送風路４内に位置させ、バーナ６からの熱量が送風路４を流れる空気流によって温風吹出口２から吹き出す。バーナ６と一方の側板１ａとの間に遮熱板８を配置し、送風機３の風は遮熱板８と側板１ａとの間にも送風して遮熱板８からの放熱を促進し、バーナ６が近接している一方の側板１ａの温度を低く維持する。また、遮熱板８と置台５との間に逃がし流路８ａを設け、遮熱板８を流れる風が逃がし流路８ａからバーナ６を設置した置台５の表面に向けて流出し、バーナ６の下部とバーナ６が取付けられた置台５の表面を冷却し、置台５の温度を低く抑える。【選択図】　　　　　図１
2004108665.tif 000002
【特許請求の範囲】
【請求項１】
枠体１の前面に温風吹出口２を設け、該枠体１の背面に送風機３を配置し、送風機３と温風吹出口２との間に送風路４を形成すると共に、前記枠体１の底板を兼ねる置台５に取付けたバーナ６もしくは該バーナ６に連なる燃焼室７を送風路４内に位置させて、前記バーナ６からの熱量が送風路４を流れる空気流によって温風吹出口２から室内に吹き出す暖房機において、
前記バーナ６は枠体１の一方の側板１ａに近接するように片側に寄せて配置し、前記置台５に取付けたバーナ６と一方の側板１ａとの間に遮熱板８を配置し、かつ、遮熱板８は枠体１の置台５との間に逃がし流路８ａを設け、前記送風機３の風は遮熱板８と枠体側板１ａとの間にも送風し、この風は前記遮熱板８の逃がし流路８ａからバーナ６を設置した置台５の表面に向けて流出することを特徴とする温風暖房機の遮熱構造。
【請求項２】
枠体１の前面に温風吹出口２を設け、該枠体１の背面に送風機３を配置し、送風機３と温風吹出口２との間に送風路４を形成すると共に、前記枠体１の底板を兼ねる置台５に取付けたバーナ６もしくは該バーナ６に連なる燃焼室７を送風路４内に位置させて、前記バーナ６からの熱量が送風路４を流れる空気流によって温風吹出口２から室内に吹き出す暖房機において、
前記枠体１の置台５は上下２枚の枠体底板５ａ・５ｂで形成し、前記バーナ６の下方に位置する２枚の枠体底板５ａ・５ｂの間にバーナ遮熱板９を配置し、該バーナ遮熱板９と上側底板５ａとの間隔はバーナ６を配置しない側の置台５方向以外への空気の移動を抑制したことを特徴とする温風暖房機の遮熱構造。
【請求項３】
前記枠体１の置台５は上下２枚の枠体底板５ａ・５ｂで形成し、前記置台５のバーナ６を配置しない側の上側底板５ａに空気孔１０を設け、該置台５を構成する２枚の枠体底板５ａ・５ｂの間は、前記空気孔１０だけが外気と連通する封鎖空間を構成していることを特徴とする請求項１または２に記載の温風暖房機の遮熱構造。
【発明の詳細な説明】
【０００１】
【産業上の利用分野】
この発明は温風暖房機の遮熱構造に関するものである。
【０００２】
【従来の技術】
暖房機の枠体の前面に温風吹出口を形成し、かつ枠体の背面に形成した空気流入口には送風機を設置しており、この送風機は空気流入口から温風吹出口に至る送風路に室内空気を吹き込んでいる。
【０００３】
前記枠体の底板を兼ねる置台には、暖房機の熱源となるバーナが取付けてあり、バーナの燃焼炎と燃焼ガスはバーナの上部に連接した燃焼室に送られる。このバーナもしくは燃焼室と、この燃焼室に続けて配置された熱交換室とは前記送風路内に位置しており、バーナからの熱量で高温となる燃焼室壁や熱交換器は送風路を流れる空気流を温風に変え、前記温風吹出口から室内に吹き出している。
【０００４】
このような構造で、前記枠体の底板を兼ねる置台に直接バーナが取付けられる時には、バーナが取付けられている箇所の床面の温度が前記バーナから発生する熱量によって上昇してしまう問題点がある。しかし、最近の枠体のコンパクト化、製品のコストダウンを目指すためにも、底板に直接バーナを取付けたいという要求がある。
【０００５】
【発明が解決しようとする課題】
近年、密閉式石油ストーブや半密閉式石油ストーブにおいても規格改正によって置台が枠体の底板を兼ねても良いことになり、外観が向上しながらコストダウンが実現できるために、小型の温風暖房機を中心に上記のような構造に変化している。このため底板からバーナまでの距離が確保できずに近接するから、置台下面の温度上昇に対する対策の必要性が生まれることになった。
【０００６】
【課題を解決するための手段】
この発明は上記課題を解決するもので、枠体１の前面に温風吹出口２を設け、該枠体１の背面に送風機３を配置し、送風機３と温風吹出口２との間に送風路４を形成すると共に、前記枠体１の底板を兼ねる置台５に取付けたバーナ６もしくは該バーナ６に連なる燃焼室７を送風路４内に位置させて、前記バーナ６からの熱量が送風路４を流れる空気流によって温風吹出口２から室内に吹き出す暖房機において、前記バーナ６は枠体１の一方の側板１ａに近接するように片側に寄せて配置し、前記置台５に取付けたバーナ６と一方の側板１ａとの間に遮熱板８を配置し、かつ、遮熱板８は枠体１の置台５との間に逃がし流路８ａを設け、前記送風機３の風は遮熱板８と枠体側板１ａとの間にも送風し、この風は前記遮熱板８の逃がし流路８ａからバーナ６を設置した置台５の表面に向けて流出することを特徴とする温風暖房機の遮熱構造である。
【０００７】
また、前記枠体１の置台５は上下２枚の枠体底板５ａ・５ｂで形成し、前記バーナ６の下方に位置する２枚の枠体底板５ａ・５ｂの間にバーナ遮熱板９を配置し、該バーナ遮熱板９と上側底板５ａとの間隔はバーナ６を配置しない側の置台５方向以外への空気の移動を抑制したことにより、バーナ６の下方で加熱された空気が低温部に流れて、置台５の温度が低下する温風暖房機の遮熱構造の特定ができた。
【０００８】
さらに、前記枠体１の置台５は上下２枚の枠体底板５ａ・５ｂで形成し、前記置台５のバーナ６を配置しない側の上側底板５ａに空気孔１０を設け、該置台５を構成する２枚の枠体底板５ａ・５ｂの間は、前記空気孔１０だけが外気と連通する封鎖空間を構成したことにより、空気孔１０付近に低温部が形成され、バーナ６の下方で加熱された熱の移動が円滑に行なわれる温風暖房機の遮熱構造の特定ができた。
【０００９】
【作用】
バーナ６もしくは該バーナ６に連なる燃焼室７を枠体側板１ａに近接するように片側に寄せて配置させ、送風機３と温風吹出口２との間に形成された送風路４内に位置させたことで、バーナ６を配置しない側の容積を大きくすることができた。また、バーナ６と側板１ａとの間に遮熱板８を配置したことで、枠体１の置台５との間に逃がし流路８ａを設けることができた。このことにより送風機３の風が遮熱板８と枠体側板１ａとの間隙を通り、逃がし流路８ａから置台５の表面に向けて流出可能となった。
【００１０】
また、前記枠体１の置台５は上下２枚の枠体底板５ａ・５ｂで形成し、前記バーナ６の下方の２枚の枠体底板５ａ・５ｂの間にバーナ遮熱板９を配置し、該バーナ遮熱板９と上側底板５ａとの間隔はバーナ６を配置しない側への置台５方向以外の空気の移動を抑制したことによって、バーナ６を配置した側から配置しない側へ熱が移動する熱流路の形成が可能となった。
【００１１】
さらに、前記置台５のバーナ６を配置しない側の上側底板５ａに空気孔１０を設け、該置台５を構成する２枚の枠体底板５ａ・５ｂの間は、前記空気孔１０だけが外気と連通する封鎖空間を構成することで、熱流路内の熱移動を促進することが可能となった。
【００１２】
【実施例】
実施例を示す図によってこの構成を説明すると、１は温風暖房機の枠体、１１は枠体１の背面に形成された空気流入口、３は空気流入口１１に配置された送風機、２は枠体１の前面に設けられた温風吹出口、４は送風機３と温風吹出口２の間に形成された送風路であり、送風機３から送られた室内空気が空気流入口１１から送風路４内に流入し、この送風路４を通過して温風吹出口２から吹き出している。
【００１３】
５は枠体１の底板を兼ねた置台、６は置台５に取付けたバーナ、７はバーナ６の上部に連接した燃焼室、１２はこの燃焼室７に続けて配置した熱交換室であり、これらバーナ６と燃焼室７と熱交換室１２は前記送風路４内に位置している。
【００１４】
１３はバーナ６に燃焼空気を供給する燃焼ブロワ、１４はバーナ６に燃料を供給する燃料ポンプ、１５はバーナ６の予熱ヒータを兼用する点火ヒータであり、該点火ヒータ１５に通電してバーナ６を予熱するとともに、燃焼ブロワ１３と燃料ポンプ１４とを作動すると燃料と空気がバーナ６に送られるから、点火ヒータ１５によって燃焼を開始する。
【００１５】
前記バーナ６内で燃焼を開始すると、バーナ６から発生した燃焼炎や燃焼ガスによって、燃焼室７や熱交換室１２は高温となるから、送風機３によって送られて送風路４を流れる空気流は、これらの高温部によって熱交換して温風に変わり、温風吹出口２から室内に吹き出すことで暖房を行なっている。
【００１６】
１ａは枠体１の送風路４の側方に位置する一方の側板であり、前記バーナ６及び送風路４は一方の側板１ａに近接するように片側に寄せて置台５の上に配置され、バーナ６が配置されていない他側の置台５には燃料ポンプ１４をはじめとする燃料をバーナ６に供給する定油面器などの装置が取付けられている。
【００１７】
近年、密閉式石油ストーブや半密閉式石油ストーブは規格改正によって、暖房機の置台が枠体の底板を兼ねても良いことになり、枠体のコンパクト化による外観向上、コストダウンの実現を狙って、小型製品を中心に枠体のコンパクト化、製品のコストダウンを目指すために、上記構造のように変化して、底板を兼用する置台に直接バーナを取付けることや、バーナを片側に寄せて配置することが行なわれている。このため、底板や枠体の一方の側板からバーナまでの距離が確保できず、枠体の温度上昇を考慮する必要が発生することになった。
【００１８】
この発明は上記のバーナ６が近接している枠体１の一方の側板１ａとバーナ６付近の置台５の温度が上昇する問題点を解決するもので、８はバーナ６が近接している一方の側板１ａと送風路４やバーナ６との間に配置した遮熱板、１６は送風機３に近い送風路４の側壁などに設けて一方の側板１ａと遮熱板８との間に送風空気を送る空気流出開口であり、送風機３を運転すると送風路４に送られた室内空気の一部は、空気流出開口１６から遮熱板８と一方の側板１ａとの間隔で形成された空間に送られる。
【００１９】
このため、遮熱板８はバーナ６や送風路４壁から放熱する熱量を遮るだけでなく、遮熱板８と一方の側板１ａとの間隔に強制送風されることによって遮熱板８からの放熱を促進しており、バーナ６が近接している枠体１の一方の側板１ａの温度を低く維持することができるようになった。
【００２０】
８ａは遮熱板８の下方と置台５との間に設けられた形成された逃がし流路であり、実施例では遮熱板８の下端と置台５との間に形成したスリットにより形成している。前記したように送風機３から送られた室内空気が遮熱板８と一方の側板１ａで形成された空間を通過するが、この空気は遮熱板８の下方の逃がし流路８ａからバーナ６が配置された置台５の表面に流出するため、バーナ６の下部とバーナ６が取付けられた置台５の表面の冷却が可能となり、置台５の温度を低く抑えることができた。
【００２１】
１７は枠体１内の燃料ポンプ１４などの燃料供給装置とバーナ６との間を仕切る仕切板であり、送風路４の下部と置台５との間を封鎖している。４ａは送風路４の下板とバーナ６との間に形成した隙間であり、前記バーナ６の下部とバーナ６が取付けられた置台５の表面を冷却した空気はこの隙間４ａから送風路４に戻されて、温風吹出口２から温風と一緒に枠体１外に吹出すことになる。
【００２２】
尚、他の実施例として、送風路４の下板がなく、送風路４の両側の側板が置台５に届いているときには、枠体１の一方の側板１ａに近い送風路４の側板を遮熱板８と兼用したり、送風路４の他方の側板を仕切板１７としてもよく、バーナ６下部と置台５の表面は送風路４の下部に位置しているから、前記逃がし流路８ａから流出して置台５を冷却した空気はそのまま温風吹出口２から枠体１外に流出する。
【００２３】
一方、この発明は上記のバーナ６を取付けた置台５の下方に位置する床面の温度上昇の問題点を解決するもので、５ａは枠体１の置台５の上側底板、５ｂは枠体１の置台５の下側底板、９はバーナ６の下方に位置する２枚の枠体底板５ａ・５ｂの間に配置されたバーナ遮熱板であり、バーナ６からの輻射熱はこのバーナ遮熱板９の働きで直接バーナ６の下方の床面に伝わりにくくなって、床面温度を低く維持することができる。
【００２４】
前記置台５の温度はバーナ６を配置した側が高温度であり、置台５を２枚の枠体底板５ａ・５ｂで構成すると、この空間の空気は温度が均一になるように対流して熱の拡散が起こるから、前記バーナ遮熱板９と上側底板５ａとの間隔はバーナ６を配置しない側を封鎖して、燃料ポンプ１４などの燃料供給装置を配置した置台５方向以外への空気の移動を抑制している。
【００２５】
このため、バーナ遮熱板９と上側底板５ａとの間のバーナ６の下方で加熱された空気は上側底板５ａの下面に沿ってバーナ６が配置されていない側へ移動し、ここで冷やされて温度が低くなった空気は上側底板５ａから離れて下降し、上側底板５ａとバーナ遮熱板９との間へ戻る熱流路が形成されるようになり、バーナ６を取付けた置台５の温度を低く維持できるようになった。また、置台５のバーナ６が配置されていない側で更に低温度になった空気は、バーナ遮熱板９と下側底板５ｂとの間へ流入するから、バーナ６の真下の下側底板５ｂの温度は低く維持でき、暖房機の置台５の下方に位置する床面の温度が各規格で規定された温度以下になった。
【００２６】
バーナ遮熱板９の他の実施例として置台５が長方形であるときには、バーナ遮熱板９の３方の外周を置台５の側板に接続して、バーナ６が配置しない側を開放する構造でも、この出願の目的は達成できる。
【００２７】
また、バーナ６が配置しない側の置台５の温度は強い熱流路を形成するためには低いほうが良い。送風路４壁や仕切板１７によってバーナ６と燃料供給装置などを分離している温風暖房機において、１８は枠体１のバーナ６が配置しない側の送風機３に近い送風路４の側壁に設けた冷却空気流入口であり、枠体１の空気流入口１１付近に配置された送風機３から送られた室内空気は、冷却空気流入口１８から燃料供給装置などの必要な部品がまとめて配置されているバーナ６が配置されない側の置台５の上方空間に吹き出すことができる。
【００２８】
このため、枠体１内で燃料ポンプ１４などが配置された空間は、冷却空気流が温風暖房機の運転中は常に形成されているので温度を低く維持することができ、この空間に接するバーナ６が配置されない側の置台５の温度も低くなるので、置台５の２枚の枠体底板５ａ・５ｂの空間に起きる熱対流が強くなり、バーナ６を取付けた置台５の温度が低く維持できる。
【００２９】
また、１０は置台５のバーナ６を配置しない側の上側底板５ａに設けた空気孔であり、置台５を構成する２枚の枠体底板５ａ・５ｂの間は、空気孔１０だけが外気と連通する封鎖空間を構成している。
【００３０】
一般に高温部を低温化するためには、例えば高温部であるバーナ６付近の高温部に空気口をあけて冷却空気を通過させることが行われるが、この方式で冷却するためにはこの空気口を通過する空気が低温であり多量の空気が通過して初めて可能になる。この発明のようにほぼ密閉空間で構成する枠体底板５ａ・５ｂの間で移動する空気の流速は遅く、バーナ６付近に空気口をあけても、高温の空気が集まるだけでバーナ６付近を低温にすることはできない。
【００３１】
この発明は枠体底板５ａ・５ｂの間で熱移動が行われる構成において、バーナ６が配置されない側の上側底板５ａに空気孔１０を設けたから、バーナ６が配置されない側に移動した熱の一部は空気孔１０から置台５の上方空間に抜けることが可能になり、高温の空気が枠体１内に抜ければ、代わって枠体１内の低温の空気が枠体底板５ａ・５ｂの間へ入ることになる。このため、置台５の２枚の枠体底板５ａ・５ｂの間のバーナ遮熱板９によって形成される置台５内に起きる熱対流による熱移動が、置台５の低温部における高温空気の流出と低温空気の流入によって促進されるようになった。
【００３２】
【発明の効果】
上記のようにこの発明では、バーナ６を枠体１の一方の側板１ａに近接するように片側に寄せて配置し、バーナ６と一方の側板１ａとの間に遮熱板８を配置し、かつ、遮熱板８は枠体１の置台５との間に逃がし流路８ａを設け、送風機４の風が一方の側板１ａと遮熱板８との間から逃がし流路８ａへ抜ける構造としたから、バーナ６が近接している一方の側板１ａとバーナ６が取付けられた置台５の表面の冷却が可能となった。
【００３３】
また、枠体１の置台５を上下２枚の枠体底板５ａ・５ｂで形成し、バーナ６の下方の２枚の枠体底板５ａ・５ｂの間にバーナ遮熱板９を配置し、バーナ遮熱板９と上側底板５ａとの間隔はバーナ６を配置しない側の置台５方向以外の空気の移動を抑制した構造としたから、バーナ６からの輻射熱が直接バーナ６の下方に伝わりにくくなり、さらにバーナ遮熱板９と上側底板５ａとの間のバーナ６の下方で加熱された空気がバーナ６が配置されていない側へ移動する熱流路が形成され、上側底板５を低温度に維持できるようになった。
【００３４】
また、置台５のバーナ６を配置しない側の上側底板５ａに空気孔１０を設け、置台５を構成する２枚の枠体底板５ａ・５ｂの間は、空気孔１０だけが外気と連通する封鎖空間を構成することとしたから、熱流路内の枠体底板５ａ・５ｂにおける熱移動を促進することが可能となり、置台５の全体を低温度に保つことができたから、床面の温度を規格以内に保持することができた。
【図面の簡単な説明】
【図１】この発明の実施例を示す温風暖房機の正面断面図である。
【図２】この発明の実施例を示す温風暖房機の上面断面図である。
【図３】この発明の実施例を示す温風暖房機の側面断面図である。
【符号の説明】
１　　枠体
１ａ　バーナが近接して配置されている枠体の一方の側板
２　　温風吹出口
３　　送風機
４　　送風路
５　　置台
５ａ　置台の上側底板
５ｂ　置台の下側底板
６　　バーナ
７　　燃焼室
８　　遮熱板
８ａ　逃がし流路
９　　バーナ遮熱板
１０　　空気孔
【図１】
2004108665.tif 000003
【図２】
2004108665.tif 000004
【図３】
2004108665.tif 000005